(57)【要約】【課題】タッチパネル付き表示装置に表示されている超音波断層画像をドラッグ操作する場合に、超音波断層画像の表示部分に指紋や傷が付いて汚れることを防止する。【解決手段】超音波画像領域Ａ１は超音波画像Ｐ及びカーソルＣが表示されるのみであり、タッチしてもカーソルＣは移動しない。操作部品表示領域Ａ２にはカーソルＣを移動するためのタッチパッドエリア１００が表示され、タッチパッドエリア１００が指Ｆでドラッグされると、ドラッグ方向及びドラッグ距離に応じてカーソルＣを移動する。【選択図】図１
2010142563.tif 000002
【特許請求の範囲】
【請求項１】
タッチパネル付きの表示装置を備えた超音波診断装置において、
前記表示装置の表示画面の第１の表示領域に超音波画像とマウスカーソルを表示するとともに、前記第１の表示領域に表示されているマウスカーソルをドラッグ操作で移動させるためのタッチパッドエリアを前記表示画面内にあって前記第１の表示領域とは独立したタッチパネル付きの第２の表示領域に表示する表示制御手段を備えたことを特徴とする超音波診断装置。
【請求項２】
前記表示制御手段は、前記タッチパッドエリア内をドラッグ開始位置として前記タッチパッド外のタッチパネル上をドラッグ終了位置としてドラッグされた場合にもドラッグ操作を有効とすることを特徴とする請求項１に記載の超音波診断装置。
【請求項３】
前記表示制御手段は、前記タッチパッドエリア外のタッチパネル上をドラッグ中に、タッチパネル上の他の操作ボタンがタッチされた場合に、前記他の操作ボタンのタッチ操作を無効にしてドラッグ操作を有効にすることを特徴とする請求項２に記載の超音波診断装置。
【請求項４】
前記表示制御手段は、前記他の操作ボタンのタッチ操作を無効にした後、前記ドラッグ操作が終了した場合に、前記無効にした前記他の操作ボタンのタッチ操作を有効にすることを特徴とする請求項３に記載の超音波診断装置。
【請求項５】
前記表示制御手段は、前記タッチパッドエリア内からドラッグ開始後、前記タッチパッドエリアのエッジでドラッグが停止続けた場合にカーソル移動を継続することを特徴とする請求項１から４のいずれか１つに記載の超音波診断装置。
【請求項６】
前記表示制御手段は、前記タッチパッドエリア内を指でなぞるドラッグ操作でカーソルを移動することを特徴とする請求項１から５のいずれか１つに記載の超音波診断装置。
【請求項７】
前記表示制御手段は、前記タッチパッドエリアにドラッグ操作ガイドとして指画像を表示することを特徴とする請求項１から６のいずれか１つに記載の超音波診断装置。
【請求項８】
前記第１の表示領域にタッチされた場合、前記表示制御手段は前記表示画面に、前記第１の表示領域にタッチしないよう警告メッセージを表示するか、又は前記第２の表示領域を点滅させるか又は輝度変更を行い、操作者に警告することを特徴とする請求項１から７のいずれか１つに記載の超音波診断装置。
【請求項９】
前記ドラッグ操作で移動したマウスカーソルの始点と終点の間の前記超音波画像の距離を演算する演算手段をさらに備え、
前記表示制御手段は、前記演算手段により演算された前記超音波画像の距離を前記表示画面に表示することを特徴とする請求項１から８のいずれか１つに記載の超音波診断装置。
【発明の詳細な説明】
【技術分野】
【０００１】
本発明は、タッチパネル付き表示装置を有する超音波診断装置に関する。
【背景技術】
【０００２】
タッチパネル付き表示装置を有する超音波診断装置の従来技術としては、下記の特許文献１に記載されているものがある。図７は、タッチパネル付き表示装置に表示されている超音波断層画像の表示内容をドラッグ操作により変更する従来の表示技術を示し、表示画面は、超音波画像Ｐが表示される超音波画像領域Ａ１と、超音波画像Ｐの変更内容を選択するためのボタン（図のGain、Depth、Color、Dop、M）が表示される操作部品表示領域Ａ２に分割されている。そして、オペレータが操作部品表示領域Ａ２に表示されている複数のボタンの１つを選択的にタッチして所望の変更内容を選択した後、超音波画像領域Ａ１を指Ｆでタッチしてドラッグすると、選択された変更内容及びドラッグ方向に応じて表示画像Ｐを変化させる。また、他のドラッグ方法として、ドラッグ開始位置からドラッグ終了位置までの距離（例えば胎児の頭の径）を測定する方法などにも利用することができる。
【特許文献１】特許第３７５２４４６号公報（段落００４２）
【発明の開示】
【発明が解決しようとする課題】
【０００３】
しかしながら、上記の従来技術では、表示画面の超音波画像領域Ａ１を指Ｆでタッチしてドラッグするので、超音波画像領域Ａ１に指紋ＦＰや傷Ｄが付いて汚れ、このため、超音波画像Ｐが見づらくなるという問題点がある。
【０００４】
本発明は上記従来技術の問題点に鑑み、タッチパネル付き表示装置に表示されている超音波断層画像をドラッグ操作する場合に、超音波断層画像の表示部分に指紋や傷が付いて汚れることを防止することができ、ひいては超音波断層画像を見やすくすることができる超音波診断装置を提供することを目的とする。
【課題を解決するための手段】
【０００５】
本発明は上記目的を達成するために、タッチパネル付きの表示装置を備えた超音波診断装置において、
前記表示装置の表示画面の第１の表示領域に超音波画像とマウスカーソルを表示するとともに、前記第１の表示領域に表示されているマウスカーソルをドラッグ操作で移動させるためのタッチパッドエリアを前記表示画面内にあって前記第１の表示領域とは独立したタッチパネル付きの第２の表示領域に表示する表示制御手段を備えた構成とした。
【０００６】
この構成により、超音波画像が表示されている第１の表示領域をドラッグしなくなるので、超音波断層画像の表示部分に指紋や傷が付いて汚れることを防止することができ、ひいては超音波断層画像を見やすくすることができる。
【０００７】
また、前記表示制御手段は、前記タッチパッドエリア内をドラッグ開始位置として前記タッチパッド外のタッチパネル上をドラッグ終了位置としてドラッグされた場合にもドラッグ操作を有効とする構成とした。また、前記表示制御手段は、前記タッチパッドエリア外のタッチパネル上をドラッグ中に、タッチパネル上の他の操作ボタンがタッチされた場合に、前記他の操作ボタンのタッチ操作を無効にしてドラッグ操作を有効にする構成とした。また、前記表示制御手段は、前記他の操作ボタンのタッチ操作を無効にした後、前記ドラッグ操作が終了した場合に、前記無効にした前記他の操作ボタンのタッチ操作を有効にする構成とした。
【０００８】
また、前記表示制御手段は、前記タッチパッドエリア内からドラッグ開始後、前記タッチパッドエリアのエッジでドラッグが停止続けた場合にカーソル移動を継続する構成とした。また、前記表示制御手段は、前記タッチパッドエリア内を指でなぞるドラッグ操作でカーソルを移動する構成とした。
【０００９】
また、前記表示制御手段は、前記タッチパッドエリアにドラッグ操作ガイドとして指画像を表示する構成とした。また、前記第１の表示領域にタッチされた場合、前記表示制御手段は前記表示画面に、前記第１の表示領域にタッチしないよう警告メッセージを表示するか、又は前記第２の表示領域を点滅させるか又は輝度変更を行い、操作者に警告する構成とした。
【００１０】
また、前記ドラッグ操作で移動したマウスカーソルの始点と終点の間の前記超音波画像の距離を演算する演算手段をさらに備え、前記表示制御手段は、前記演算手段により演算された前記超音波画像の距離を前記表示画面に表示する構成とした。
【発明の効果】
【００１１】
本発明によれば、タッチパネル付き表示装置に表示されている超音波断層画像をドラッグ操作する場合に、超音波断層画像の表示部分に指紋や傷が付いて汚れることを防止することができ、ひいては超音波断層画像を見やすくすることができる。
【発明を実施するための最良の形態】
【００１２】
以下、図面を参照して本発明の実施の形態について説明する。図１は本発明に係る超音波診断装置の一実施の形態の表示例を示す説明図である。図１に示す表示画面は、従来技術と同様に超音波画像Ｐが表示される超音波画像領域Ａ１と、超音波画像Ｐをドラッグ操作するための操作部品表示領域Ａ２に分割されている。まず、本発明の第１の表示領域である超音波画像領域Ａ１は超音波画像Ｐ及びカーソルＣが表示されるのみであり、タッチしてもカーソルＣは移動しない。なお、超音波画像領域Ａ１はタッチパネルなしでもよいが、他の用途のためにタッチパネル付きでもよい。
【００１３】
さらに、第２の表示領域である操作部品表示領域Ａ２はタッチパネル付きであって、カーソルＣを移動するためのタッチパッドエリア１００と、スタート（Start）ボタン１０１と、セット（Set）ボタン１０２と、ネクスト（Next）ボタン１０３と、他のモード用のボタン１０４などが表示される。そして、タッチパッドエリア１００が指Ｆでドラッグされると、装置側では、ドラッグ方向及びドラッグ距離に応じてカーソルＣを移動する（図のＣ１→Ｃ２）。このため、超音波画像領域Ａ１に指紋や傷が付いて汚れることを防止することができ、ひいては超音波断層画像Ｐを見やすくすることができる。
【００１４】
なお、図２に示すように、タッチパッドエリア１００に指画像１００ａを表示することにより、ユーザに対して超音波断層画像Ｐをドラッグしないよう、注意を喚起することができる。また、操作者が誤って超音波画像領域Ａ１にタッチすることも想定すると、もし、超音波画像領域Ａ１にタッチした場合、表示画面に「超音波画像領域Ａ１にタッチしてはいけない。操作は操作部品表示領域Ａ２で行うこと。」等の警告メッセージを表示するか、又は操作部品表示領域Ａ２が点滅又は輝度変更を行い、操作者に警告し、注意を促すようにすることで、さらに、超音波断層画像の表示部分に指紋や傷が付いて汚れることを防止することができ、ひいては超音波断層画像を見やすくすることができる。さらに、ドラッグ操作開始時、操作者の識別情報を入力するようにし、同一の操作者が所定期間に複数回誤って、超音波画像領域Ａ１をタッチするような場合は、さらに、警告のレベル（点滅の頻度、輝度変更の変化量）を上げることで、より注意を促すようにしてもよい。
【００１５】
ここで、ドラッグ操作は、タッチパッドエリア１００内のみが有効ではなく、図１に示すようにタッチパッドエリア１００外も有効である。このとき、タッチパッドエリア１００外をドラッグ中に他のモード用のボタン１０４がタッチされた場合、他のモード用のボタン１０４のタッチ操作を無効にしてドラッグ操作を有効にする。ドラッグ操作が終了すると、タッチ操作を無効にした他のモード用のボタン１０４のタッチ操作を有効とする。
【００１６】
超音波画像領域Ａ１に表示されるカーソルＣを移動させる用途として、超音波画像領域Ａ１に胎児画像を表示して胎児の頭部の径を測定する場合があり、この場合、ユーザは胎児画像の頭部の両端（始点と終点）をカーソルＣで指定する。頭部の両端が指定されると、胎児画像の大きさとの関係に基づいて頭部の両端を測定して図１の１０５（ｘｘｘｘmm）のように表示する。
【００１７】
図３は上記の測定制御を実行する超音波診断装置の構成を示すブロック図である。まず、タッチパネル付き表示装置は表示装置４とタッチパネル５により構成される。超音波送受信部２は超音波探触子１の超音波送信とその反射信号の受信を制御し、信号処理部３は、受信した反射信号を処理して、図１に示すように超音波画像Ｐを表示装置４の超音波画像領域Ａ１に表示するとともに、画面表示制御部１３の制御に基づいて各種の操作ボタンを操作部品表示領域Ａ２に表示するための表示制御を実行する。制御部１０は入力情報制御部１１と、演算部１２と画面表示制御部１３を有する。入力情報制御部１１はタッチパネル５及び操作パネル６によるユーザ操作の情報（イベント）を受信してその処理を行う。演算部１２は特に、カーソルＣで胎児画像の頭部の両端が指定されると、胎児画像の大きさとの関係に基づいて頭部の両端を測定し、測定結果を表示するよう画面表示制御部１３に指示する。
【００１８】
図４は上記の測定制御を実行する演算部１２の処理を説明するためのフローチャートである。図４に示す処理は、スタート（Start）ボタン１０１がタッチされるとスタートし、まず、セット（Set）ボタン１０２がタッチ（ＯＮ）されたか否かをチェックし（ステップＳ１）、タッチ（ＯＮ）されると、カーソルＣの現在位置を始点として記憶する（ステップＳ２）。次いで、同じくセット（Set）ボタン１０２がタッチ（ＯＮ）されたか否かをチェックし（ステップＳ３）、タッチ（ＯＮ）されると、カーソルＣの現在位置を終点として記憶し（ステップＳ４）、次いで超音波画像Ｐの始点と終点の間の距離を測定する（ステップＳ５）。また、ネクスト（Next）ボタン１０３がタッチ（ＯＮ）されたか否かをチェックし（ステップＳ６）、タッチ（ＯＮ）されると、ステップＳ１に戻り、他の部位の距離測定が可能である。
【００１９】
ドラッグ操作の他の例として、図５に示すようにタッチパッドエリア１００内をドラッグ開始位置としてタッチパッドエリア１００のエッジでドラッグが停止続けた場合にカーソル移動を継続することも可能である。また、図６に示すようにタッチパッドエリア１００内を同じ方向に複数回、指でなぞることも可能である。
【００２０】
なお、上記実施の形態の説明に用いた各機能ブロックは、典型的には集積回路であるＬＳＩとして実現される。これらは個別に１チップ化されてもよいし、一部又はすべてを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。また、集積回路化の手法はＬＳＩに限るものではなく、専用回路又は汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。さらには、半導体技術の進歩又は派生する別技術によりＬＳＩに置き換わる集積回路化の技術が登場すれば、当然、その技術を用いて機能ブロックの集積化を行ってもよい。例えば、バイオ技術の適用などが可能性としてあり得る。
【産業上の利用可能性】
【００２１】
本発明は、タッチパネル付き表示装置に表示されている超音波断層画像をドラッグ操作する場合に、超音波断層画像の表示部分に指紋や傷が付いて汚れることを防止することができ、ひいては超音波断層画像を見やすくすることができるという効果を有し、超音波診断装置などに利用することができる。
【図面の簡単な説明】
【００２２】
【図１】本発明に係る超音波診断装置の一実施の形態の表示例を示す説明図
【図２】図１のタッチパッドエリアの表示例を示す説明図
【図３】本発明に係る超音波診断装置の一実施の形態の構成を示すブロック図
【図４】図３の超音波診断装置の処理の一例を説明するためのフローチャート
【図５】図１のタッチパッドエリアの他のドラッグ操作を示す説明図
【図６】図１のタッチパッドエリアのさらに他のドラッグ操作を示す説明図
【図７】従来の超音波診断装置の表示例を示す説明図
【符号の説明】
【００２３】
１  超音波探触子
２  超音波送受信部
３  信号処理部
４  表示装置
５  タッチパネル
６  操作パネル
１０  制御部
１１  入力情報制御部
１２  演算部
１３  画面表示制御部
Ａ１  超音波画像領域
Ａ２  操作部品表示領域
１００  タッチパッドエリア
１０１  スタート（Start）ボタン
１０２  セット（Set）ボタン
１０３  ネクスト（Next）ボタン
１０４  他のモード用のボタン
【図１】
2010142563.tif 000003
【図２】
2010142563.tif 000004
【図３】
2010142563.tif 000005
【図４】
2010142563.tif 000006
【図５】
2010142563.tif 000007
【図６】
2010142563.tif 000008
【図７】
2010142563.tif 000009